(57)【要約】【課題】簡単な構成により、可動棚を手前下方に引き出すと同時にフラップ扉を自動的に開けることのできる昇降棚を提供すること目的とする。【解決手段】  前方開口状の固定筐体１と、固定筐体１に揺動支持部材２を介して取り付けられ手前下方の引き出し状態と後上方の収納状態とに切り替え自在の可動棚３と、固定筐体１に上部側を中心として揺動開閉するよう取り付けられたフラップ扉４と、を備えている。固定筐体１の底壁５の前部に切欠開口部６が形成され、上記収納状態で上記可動棚３の下部に設けた取手部７が切欠開口部６に垂下状に配設され、可動棚３が、フラップ扉４の裏面４ａに摺接しつつフラップ扉４を開閉させる側板９を有する。【選択図】    図６
2005185713.tif 000002
【特許請求の範囲】
【請求項１】
前方開口状の固定筐体（１）と、該固定筐体（１）に揺動支持部材（２）を介して取り付けられ手前下方の引き出し状態と後上方の収納状態とに切り替え自在の可動棚（３）と、該固定筐体（１）に上部側を中心として揺動開閉するよう取り付けられたフラップ扉（４）と、を備えた昇降棚であって、上記固定筐体（１）の底壁（５）の前部に切欠開口部（６）が形成され、上記収納状態で上記可動棚（３）の下部に設けた取手部（７）が該切欠開口部（６）に垂下状に配設され、上記可動棚（３）が、前縁部乃至上縁部にわたってアール形状とされて上記フラップ扉（４）の裏面（４ａ）に摺接しつつ該フラップ扉（４）を開閉させる側板（９）を有することを特徴とする昇降棚。
【請求項２】
上記フラップ扉（４）はその裏面（４ａ）に、上記可動棚（３）の上記側板（９）が摺接するすべり部材（10）が配設されている請求項１記載の昇降棚。
【請求項３】
上記すべり部材（10）は、下部に向かって上記フラップ扉（４）の裏面（４ａ）から離れる傾斜面（15）が形成され、上記フラップ扉（４）の開動作開始の際に、該フラップ扉（４）の下部において該すべり部材（10）を介して上記可動棚（３）が接触する請求項２記載の昇降棚。
【請求項４】
上記可動棚（３）は、前側の低床部（11）と後側の高床部（12）とを有する２段式載置部（13）を有する請求項１，２又は３いずれかに記載の昇降棚。
【請求項５】
上記側板（９）の外方側面（９ａ）に、挿し入れ収納部（14）を配設した請求項１，２，３又は４いずれかに記載の昇降棚。
【発明の詳細な説明】
【技術分野】
【０００１】
本発明は、固定筐体に対して可動棚が昇降する昇降棚に関するものである。
【背景技術】
【０００２】
固定筐体と、固定筐体に支持部材を介して取り付けられた可動棚と、固定筐体の前方開口部を開閉する扉と、有し、可動棚が揺動により固定筐体に対して昇降する従来の昇降棚は、扉を一旦開けてから可動棚を引き出すというものであった。
また、可動棚の引き出しと同時に扉を開けさせる昇降棚として従来より知られるものは、支持部材の一部に扉を開閉させる連動リンクアームを設け、可動棚の手前引き出しによる支持部材の動作にて、連動リンクアームを介在させて扉を開けるものがある（例えば、特許文献１参照）。
【０００３】
しかし、従来の連動リンクアームの構成は非常に複雑で、部品点数が多くなり、また、動作に際して収納物がひっかかり収納物が邪魔になって、スムーズに動作しないというおそれがある。
また、可動棚を引き出す際に、連動リンクアームを介して支持部材に扉の重量が作用するため、可動棚を引き出すために大きな力が必要となり、操作がしにくいという欠点がある。
【特許文献１】特開２００１−３１４２４８号公報（第８図）
【発明の開示】
【発明が解決しようとする課題】
【０００４】
解決しようとする課題は、構成が複雑となり、部品点数及び可動部が多く、また、収納物がひっかかり、操作する際に収納物が邪魔になって、スムーズに動作しないという点である。大きな操作力が必要となる点である。
【課題を解決するための手段】
【０００５】
本発明は、前方開口状の固定筐体と、該固定筐体に揺動支持部材を介して取り付けられ手前下方の引き出し状態と後上方の収納状態とに切り替え自在の可動棚と、該固定筐体に上部側を中心として揺動開閉するよう取り付けられたフラップ扉と、を備えた昇降棚であって、上記固定筐体の底壁の前部に切欠開口部が形成され、上記収納状態で上記可動棚の下部に設けた取手部が該切欠開口部に垂下状に配設され、上記可動棚が、前縁部乃至上縁部にわたってアール形状とされて上記フラップ扉の裏面に摺接しつつ該フラップ扉を開閉させる側板を有するものである。
【０００６】
また、上記フラップ扉はその裏面に、上記可動棚の上記側板が摺接するすべり部材が配設されている。上記すべり部材は、下部に向かって上記フラップ扉の裏面から離れる傾斜面が形成され、上記フラップ扉の開動作開始の際に、該フラップ扉の下部において該すべり部材を介して上記可動棚が接触するものである。
また、上記可動棚は、前側の低床部と後側の高床部とを有する２段式載置部を有している。また、上記側板の外方側面に、挿し入れ収納部を配設している。
【発明の効果】
【０００７】
本発明の昇降棚は、可動棚を手前下方に引き出すと同時にフラップ扉を自動的に開けることができ、また、可動棚を後上方へ収納させると同時にフラップ扉を自動的に閉じることができ、操作性のよい昇降棚とすることができる。
フラップ扉を開閉させるための連動リンクアームを別途設ける必要がなく、構成が非常に簡単で部品点数も少なく、動作が簡単でスムーズに可動棚を昇降させ同時にフラップ扉を閉・開させることができる。
可動棚の取手部における操作力が小さくて済む。
【０００８】
また、取手部が昇降棚の前方側に張り出すのではなく、固定筐体の前部の切欠開口部にて垂下状となるため、昇降棚の設置位置が身長より僅かに低い場合は特に、圧迫感がなく、目障りで邪魔になることがない。
また、収納状態で、固定筐体の底壁上面近傍まで可動棚の物品収納部を形成でき、収納空間が広がる。
【発明を実施するための最良の形態】
【０００９】
図１は、本発明の昇降棚の実施の一形態を示す正面図であり、図２はその平面図、図３は底面図である。この昇降棚は、固定筐体１に対して可動棚３が揺動して昇降するものであり、図１〜図３は、可動棚３が固定筐体１に収納された収納状態を示す。
図４は、収納状態にある昇降棚の断面側面図であり、図５と図６は、可動棚３を引き出す途中の状態にある昇降棚の断面側面図であり、図７は、可動棚３を固定筐体１から手前下方に引き出した状態にある昇降棚の断面側面図である。
【００１０】
本発明の昇降棚は、前方開口状の固定筐体１と、固定筐体１に揺動支持部材２を介して取り付けられた可動棚３と、固定筐体１に上部側を中心として揺動開閉するよう取り付けられたフラップ扉４と、を備えたものである。
なお、図１ではフラップ扉４を２点鎖線にて示しており、図２は上壁を外した状態を示している。
【００１１】
固定筐体１は、前方に開口部16を有し、後方側が壁面等に沿って固定される箱体である。固定筐体１の水平状の底壁５の前部（前半分部）には、切欠開口部６が形成されており、図３に示すように、この昇降棚の切欠開口部６は、底壁５の前方両側部を残して底壁５の前縁から切欠いて形成した一文字状の切欠開口部６である。
【００１２】
そして、切欠開口部６の幅方向寸法（左右方向寸法）は、可動棚３の幅方向寸法より（少し）大きく、切欠開口部６の奥行き寸法（前後方向寸法）は、底壁５全体の奥行き寸法の４０％〜６０％とされている。従って、底壁５はコ字型となる。
【００１３】
可動棚３は、固定筐体１に揺動支持部材２を介して取り付けられ、手前下方の引き出し状態と後上方の収納状態とに切り替え自在となるものであり、可動棚３は、左右両側の側板９，９と、物品載置床部となる底壁17とを有し、物品を収納する収納部である。
また、可動棚３は、図１と図４に示すように、可動棚３の底壁17の前部下方位置に取手部７を有している。取手部７は水平杆部材であり、可動棚３の両側板９，９の下部に形成する取付片部18，18に取着されている。
【００１４】
従って、収納状態では、可動棚３の下部に設けられた取手部７は、固定筐体１の切欠開口部６に垂下状に配設されることとなり、取手部７は、固定筐体１の底壁５より下方に突出した状態となる。なお、収納状態で、固定筐体１の底壁５の下面と可動棚３の底壁17の下面とは、（略）同一面状となる。
【００１５】
揺動支持部材２は、固定筐体１の内側の左右両側に夫々配置され、一端部が固定筐体１側に取り付けられ他端部が可動棚３に取り付けられる４節平行リンク機構とされ、第１アーム19と第２アーム20とを有する。
具体的に説明すると、固定筐体１の後方両側部に取付部材25，25が取着されており、取付部材25にベース部材38が嵌め込み固定され、ベース部材38において、第１アーム19の一端部が第１水平軸心21廻りに揺動自在に枢着され、第２アーム20の一端部が第２水平軸心22廻りに揺動自在に枢着されている。
【００１６】
そして、可動棚３が有する両側板９，９の外方側面９ａ，９ａの後方上部には、夫々、取付板26が取着されており、取付板26において、第１アーム19の他端部が第３水平軸心23廻りに揺動自在に枢着され、第２アーム20の他端部が第４水平軸心24廻りに揺動自在に枢着されている。
これにより、可動棚３は後上方と手前下方との間を揺動し、図４の収納状態と図７の引き出し状態とに切り替え自在となる。
なお、左右両側の揺動支持部材２，２は、水平連結バー部材29（図２）にて連結されており、同調動作が可能とされている。
【００１７】
フラップ扉４は、固定筐体１の内側の上前方部に扉支持部材（扉ヒンジ）27を介して取り付けられ、固定筐体１の上部側を揺動中心として上下揺動し、固定筐体１の開口部16を開閉する扉である。扉支持部材27は、自重にて閉方向へ閉じる力が作用する。
また、フラップ扉４を開方向へ弾発付勢させるよう、図７に示すように弾発部材28（圧縮コイルバネ）を有しており、フラップ扉４の自重による負荷を相殺させている。なお、扉支持部材27は、２本のアームを有するリンク機構とされている。
【００１８】
そして、本発明の昇降棚は、可動棚３が、フラップ扉４の裏面４ａに摺接しつつ、可動棚３の揺動により自動的に、フラップ扉４を開閉させる縦板８を有している。
縦板８は、可動棚３の左右方向中間位置（途中位置）に設けた鉛直面状の仕切り板（図示省略）でもよいが、図示説明する昇降棚では、縦板８は、可動棚３の左右両側の鉛直面状の側板９，９としている。
【００１９】
つまり、図４の収納状態から図５と図６を介して図７の引き出し状態に至るまで、可動棚３の揺動動作により、可動棚３の縦板８がフラップ扉４の裏面４ａに摺接し、縦板８の鉛直状の前縁部乃至上縁部がフラップ扉４を押し上げ、可動棚３を手前引き出し状態にすると共に、フラップ扉４を自動的に開かせている。
【００２０】
また、可動棚３の縦板８（側板９）は、前縁部乃至上縁部にわたってアール形状に形成されている。これにより、前縁部乃至上縁部のアール形状面がフラップ扉４の下部に当接してフラップ扉４を押すことができ、さらに、フラップ扉４の最大開閉角度を小さくすることができ、フラップ扉４の開閉に要する負荷を軽減することが可能となる。
そして、このアール形状部の曲率半径Ｒを、５０mm以上（好ましくは１００mm以上）が好ましい。曲率半径Ｒの上限値については特に制限はない。しかし、見た目の好ましさの点で、縦板８の奥行き寸法以下とすることができる。なお、曲率半径Ｒを大きくする程負荷を軽減できる。
【００２１】
また、縦板８を前縁部乃至上縁部にわたってアール形状とすることで、フラップ扉４との摺接を滑らかにするとともに、可動棚３を手前へ引き出す方向の力の一部を、アール形状部により、フラップ扉４を上方へ押し上げる方向の力成分に変換させ、取手部７における引き出し力にてフラップ扉４を同時に開けさせることができる。
または、図４の破線に示すように、アール形状の代わりに、可動棚３の縦板８（側板９）の前縁部乃至上縁部（角部）を直線的に切り欠いた形状にしてもよい。つまり、縦板８の前方上部に傾斜面部37を形成してもよい。
【００２２】
さらに、フラップ扉４はその裏面４ａに、可動棚３の縦板８が摺接するすべり部材10が配設されている。
すべり部材10は、図３に示すように、フラップ扉４の裏面４ａにおいて上下方向に沿って可動棚３の縦板８前面に対面するよう取着されるものであり、下部に向かってフラップ扉４の裏面４ａから離れる傾斜面15が形成される。つまり、すべり部材10は、側面視において下部が拡大し上部が縮小する形状とされている。
【００２３】
すべり部材10は、その下部がフラップ扉４の下部に位置しており、すべり部材10が可動棚３の縦板８前面との当接部となる。すべり部材10の上部は、フラップ扉４の上部よりも下方位置であり、すべり部材10よりも上方のフラップ扉４の上部には、縦板８が当接しない非当接部が存在する。つまり、本発明では、当接部をフラップ扉４の高さ方向中央部乃至下部としている。これにより、フラップ扉４の上部が扉揺動中心に近いためにフラップ扉４を上方へ揺動させる必要な力が大きくなることを防止している。
【００２４】
従って、すべり部材10の形状を上記のようにすることで、特に、図４に示すように、フラップ扉４の開動作開始の際には、フラップ扉４の下部においてすべり部材10を介して可動棚３が接触するようにし、開動作開始の際、フラップ扉４を上方へ揺動させるのに必要な力を小さくしている。
また、すべり部材10は摩擦抵抗の小さい材質がよく、例えば、フッ素樹脂等の樹脂材料としている。
さらに、すべり部材10の下端部には保護部材（図示省略）が被覆され、縦板８と接触するすべり部材10の角部を保護している。
【００２５】
さらに、図３に示すように、フラップ扉４の裏面４ａの下部には、すきま部材36が配設されており、収納状態でフラップ扉４の下部と可動棚３の前面下部との切欠開口部６における隙間を埋めている。また、このすきま部材36は、弾性部材とされ、手のはさみを防止する部材としても機能する。
【００２６】
可動棚３についてさらに説明すると、可動棚３は、前側の低床部11と後方側の高床部12とを有する２段式載置部13を有している。これは、可動棚３を固定筐体１から手前に引き出す際、及び、収納状態で、可動棚３と固定筐体１との干渉を避け、また、固定筐体１内に収まる可動棚３の容積をできるだけ大きくさせ、収納した物品の取り出しを容易にするためである。
即ち、２段式載置部13を構成することにより、例えば高床部12の水平面部をそのまま手前に延長した１段式の形状と比較すると、収納状態で固定筐体１内に無駄な空間を生じさせず、可動棚３の容積を大きくさせることができる。
物品の取り出しが容易となるのは、階段状にすることで、棚板（低床部11）の位置を低くすることができ、さらに、可動棚３の奥部（高床部12）の物品が見えやすくかつ手に取りやすくなるからである。
つまり、可動棚３を手前に引き出す際、可動棚３の後下部と固定筐体１の底壁５との干渉を避け、また、固定筐体１の下方奥部には可動棚３の動作を制御する弾発部材（図示省略）等が存在するため、収納状態で、その部材に干渉しないよう、可動棚３の底壁17は階段状としている。
【００２７】
なお、可動棚３の動作を制御する上記弾発部材とは、揺動支持部材２に対しその揺動中心廻りに弾発力を作用させるバネ部材である。つまり、弾発部材は、揺動支持部材２の第１アーム19又は第２アーム20と（中間部材を介して）連結されており、可動棚３を手前下方へ揺動引き下げる際は、バネ部材が捩じられてその弾発力（復元力）により、可動棚３が急降下するのを防ぎ、かつ、可動棚３を後上方へ戻す際には、捩じられたバネ部材が復元する方向の弾発力が作用し、物品を載せて重くなった可動棚３を引き上げる補助力として働くものである。
【００２８】
なお、バネ部材としては、例えば、ベース部材38において、第１水平軸心21又は第２水平軸心22又はこれらに平行な軸心上に配設された板バネとしたり、これらの軸心の何れかを軸心とする渦巻きバネ等でもよい。
さらに、揺動支持部材２には、図１と図２に示すように、可動棚３が揺動急降下するのを防ぐためダンパー手段30を設けている。
【００２９】
次に、図８は、本発明の昇降棚の他の実施の形態を示す正面図であり、図９は、底面図、図10は収納状態の断面側面図で図11が引き出し状態の断面側面図である。なお、図８ではフラップ扉４を２点鎖線にて示している。
【００３０】
この昇降棚は、固定筐体１の底壁５の切欠形状、つまり、切欠開口部６の形状が、図３の実施の形態のものと異なり、かつ、側板９の外方側面９ａに、上方開口状の挿し入れ収納部14が配設されている。その他の構成・作用は同様であり、説明を省略する。
【００３１】
図９に示すように、固定筐体１の水平状の底壁５の前部には、切欠開口部６が形成されており、この昇降棚の切欠開口部６は、底壁５の後ろ部分を残して底壁５を前縁から全幅にわたって切欠いて形成した一文字状の切欠開口部６である。
つまり、切欠開口部６の幅方向寸法（左右方向寸法）は、固定筐体１の開口部16の幅方向寸法と同じであり、切欠開口部６の奥行き寸法（前後方向寸法）は、切欠開口部６が形成される前の底壁５の奥行き寸法の４０％〜６０％とされている。従って、底壁５は一文字状となる。
また、この構成を言い換えると、固定筐体１を底面から見ると、固定筐体１の両側板と一文字状の底壁５とでコ字状とされており、この場合も、本発明では、底壁５に切欠開口部６が形成されていると定義する。
【００３２】
そして、可動棚３が有する側板９の外方側面９ａの前方下部に、挿し入れ収納部14が設けられ、可動棚３の底壁17の下面と収納部14の底壁31の下面とが同一面状となる。
従って、可動棚３の収納状態で、可動棚３と固定筐体１の両側壁32，32との間に挿し入れ収納部14の底壁31が配置され、固定筐体１の切欠開口部６を閉ざすこととなる。これにより、可動棚３の収納状態で、下方からの見た目がきれいであり、ほこり等の侵入を防ぐことができる。
また、図10と図11に示すように、挿し入れ収納部14の本体が、収納状態でベース部材38の一部と干渉するために小さくした場合には、切欠開口部６を閉ざすように、収納部14の底壁31を収納本体部33の底面より広くした突出底壁部34を形成している。
【００３３】
また、挿し入れ収納部14の収納本体部33の底部は、図８に示すように、左右方向外方へ向かって下傾する傾斜底面35が形成されており、挿し入れ収納部14に挿し入れた物品は、下部が外方へ誘導され上部が側板９にもたれかかって当接して位置保持され、収納した物品が可動棚３の揺動の際に固定筐体１に引っ掛からないようにしている。
【００３４】
以上のように本発明によれば、前方開口状の固定筐体１と、固定筐体１に揺動支持部材２を介して取り付けられ手前下方の引き出し状態と後上方の収納状態とに切り替え自在の可動棚３と、固定筐体１に上部側を中心として揺動開閉するよう取り付けられたフラップ扉４と、を備えた昇降棚であって、固定筐体１の底壁５の前部に切欠開口部６が形成され、収納状態で可動棚３の下部に設けた取手部７が切欠開口部６に垂下状に配設され、可動棚３が、前縁部乃至上縁部にわたってアール形状とされてフラップ扉４の裏面４ａに摺接しつつフラップ扉４を開閉させる側板９を有するため、可動棚３を手前下方に引き出すと同時にフラップ扉４を自動的に開けることができ、また、可動棚３を後上方へ収納させると同時にフラップ扉４を自動的に閉じることができ、操作性のよい昇降棚とすることができる。
【００３５】
可動棚３の動作に応じてフラップ扉４を開閉させるための連動リンクアームなるものを別途設ける必要がなく、構成が非常に簡単で部品点数も少なく、動作が簡単でスムーズに可動棚３を昇降させ、同時に、フラップ扉４を閉・開させることができる。
また、取手部７が昇降棚の前面側に張り出されるのではなく、固定筐体の前部の切欠開口部にて垂下状となるため、昇降棚の設置位置が身長より僅かに低い場合は特に、圧迫感がなく、目障りで邪魔になることがない。
また、収納状態で、固定筐体１の底壁５上面近傍まで可動棚３の物品収納部を形成でき、収納空間が広がる。
【００３６】
また、可動棚３の側板９にてフラップ扉４を自動的に開けるようされているため、構成部品を増やすことなく確実にフラップ扉４を左右両側で支持して開閉させることができる。
また、可動棚３の側板９は、前縁部乃至上縁部にわたってアール形状に形成されているため、前縁部乃至上縁部のアール形状面がフラップ扉４の下部に当接してフラップ扉４を押すことができ、さらに、フラップ扉４の最大開閉角度を小さくすることができ、フラップ扉４の開閉に要する負荷を軽減することが可能となる。
さらに、フラップ扉４との摺接を滑らかにするとともに、可動棚３を手前へ引き出す方向の力の一部を、アール形状部により、フラップ扉４を上方へ押し上げる方向の力成分に変換させ、取手部７における小さい引き出し力にてフラップ扉４を同時に開けることができる。つまり、可動棚３の取手部７における開閉のための操作力が小さくて済む。
【００３７】
フラップ扉４はその裏面４ａに、可動棚３の側板９が摺接するすべり部材10が配設されているため、フラップ扉４と可動棚３の側板９との摩擦抵抗を小さくし、スムーズに開閉させることができる。さらに、フラップ扉４の下端部及び裏面４ａを傷つけることがない。
また、すべり部材10は、下部に向かってフラップ扉４の裏面４ａから離れる傾斜面15が形成され、フラップ扉４の開動作開始の際に、フラップ扉４の下部においてすべり部材10を介して可動棚３が接触するため、開動作開始の際は、フラップ扉４の揺動中心から離れた位置にてフラップ扉４を押し上げるため、小さな力で済む。
【００３８】
また、可動棚３は、前側の低床部11と後側の高床部12とを有する２段式載置部13を有するため、他の構成部分との干渉を避けると共に、可動棚３の容積をできるだけ大きくさせ、また、階段状にすることで棚板（低床部11）の位置を低くすることができるため、収納した物品の取り出しを容易にすることができる。      
側板９の外方側面９ａに、挿し入れ収納部14を配設したため、収納スペースの有効活用ができる。また、挿し入れ収納部14により切欠開口部６の隙間を閉ざすことができる。切欠開口部６の隙間を閉ざすことにより、可動棚３の収納状態で、下方からの見た目がきれいになり、さらに、ほこり等の侵入を防ぐことができる。
【図面の簡単な説明】
【００３９】
【図１】本発明の昇降棚の実施の一形態を示す正面図である。
【図２】昇降棚の平面図である。
【図３】昇降棚の底面図である。
【図４】収納状態にある昇降棚の断面側面図である。
【図５】可動棚を少し引き出した状態にある昇降棚の断面側面図である。
【図６】可動棚を中間位置まで引き出した状態にある昇降棚の断面側面図である。
【図７】引き出し状態にある昇降棚の断面側面図である。
【図８】本発明の昇降棚の他の実施の形態を示す正面図である。
【図９】昇降棚の底面図である。
【図１０】収納状態にある昇降棚の断面側面図である。
【図１１】引き出し状態にある昇降棚の断面側面図である。
【符号の説明】
【００４０】
１  固定筐体
２  揺動支持部材
３  可動棚
４  フラップ扉
４ａ  裏面
５  底壁
６  切欠開口部
７  取手部
９  側板
９ａ  外方側面
10  すべり部材
11  低床部
12  高床部
13  ２段式載置部
14  挿し入れ収納部
15  傾斜面
【図１】
2005185713.tif 000003
【図２】
2005185713.tif 000004
【図３】
2005185713.tif 000005
【図４】
2005185713.tif 000006
【図５】
2005185713.tif 000007
【図６】
2005185713.tif 000008
【図７】
2005185713.tif 000009
【図８】
2005185713.tif 000010
【図９】
2005185713.tif 000011
【図１０】
2005185713.tif 000012
【図１１】
2005185713.tif 000013